(57)【要約】【課題】ＡＴＳ地上子を設置するためのコンクリート枕木において、配筋構造を変更しないで強度を保ちつつ、ＡＴＳ地上子の電気的特性に影響を与えないようにする。【解決手段】コンクリート枕木内の鉄筋１０ａ、１０ｂ、２０、３０同士の接触部分を絶縁材料５０で絶縁することによって前記鉄筋１０ａ、１０ｂ、２０、３０同士が電気的に接触しないようにし、環状の配筋構造に閉回路を形成しないように構成したことで、ＡＴＳ地上子の共振回路との相互インダクタンスを小さくし、鉄筋に流れる誘導電流を低く抑えることができる。従って、ＡＴＳ地上子のＱ値低下および共振周波数の変化を抑えることができる。また、枕木の配筋構造自体は変更しないので、枕木の強度を確保することができる。【選択図】図３
2005344426.tif 000002
【特許請求の範囲】
【請求項１】
ＡＴＳ地上子を設置するためのコンクリート枕木であって、
長手方向に沿って配置される複数の鉄筋と、短手方向に沿って配置される複数の鉄筋とが互いに接触することで形成される環状の配筋構造を有し、
少なくともこれらの鉄筋同士の接触部分を絶縁材料によって絶縁することで前記鉄筋同士が電気的に接触しないようにし、前記環状の配筋構造に閉回路を形成しないよう構成したこと
を特徴とするコンクリート枕木。
【請求項２】
請求項１に記載のコンクリート枕木において、
前記長手方向に沿って配置される複数の鉄筋は、少なくともプレストレストコンクリート枕木の緊張材であるＰＣ鋼棒を含み、
前記短手方向に沿って配置される複数の鉄筋は、前記長手方向に沿って配置される複数の鉄筋を側方から囲むように配置される複数のスターラップであること
を特徴とするプレストレストコンクリート枕木。
【請求項３】
請求項２に記載のプレストレストコンクリート枕木において、
前記スターラップの少なくとも一部に絶縁材料を付けることで前記鉄筋同士の接触部分を絶縁すること
を特徴とするプレストレストコンクリート枕木。
【請求項４】
請求項２に記載のプレストレストコンクリート枕木において、
前記枕木の長手方向に配置される鉄筋の少なくとも一部に絶縁材料を付けることで前記鉄筋同士の接触部分を絶縁すること
を特徴とするプレストレストコンクリート枕木。
【発明の詳細な説明】
【技術分野】
【０００１】
本発明は、自動列車停止装置（ＡＴＳ）地上子の電気的性能に影響を与えないコンクリート枕木に関する。
【背景技術】
【０００２】
バラスト軌道において、ＡＴＳ地上子は機械による保線作業の支障にならないように枕木上に設置される場合が多い。
近年、木製の枕木は資源の枯渇で材料が入手困難であることや耐用年数が短いといった理由であまり使用されなくなり、木製の枕木に代わってプレストレストコンクリート（ＰＣ）枕木等のコンクリート枕木が広く使用されている。従って、ＡＴＳ地上子はこれらコンクリート枕木上に設置される。また、ＡＴＳ地上子を枕木上に設置した際、ＡＴＳ地上子に付属するケーブルが保線作業の支障にならないように、このケーブルを収容するための切欠きを有するＰＣ枕木（「切欠きＰＣ枕木」と称する）等が実用化されている。
【０００３】
一般的なＰＣ枕木は、枕木本体の長手方向に沿って埋入されたＰＣ鋼棒を枕木本体のコンクリート整形後に緊張することで枕木本体にプレストレスを導入し枕木の強度を確保している。一方、切欠きＰＣ枕木は切欠き部分が他の部分より薄いので、枕木の強度が不足しないようにＰＣ鋼棒以外にもスターラップ等の鉄筋を複数配置することで切欠き部分を補強している。
【０００４】
ところが、ＡＴＳ地上子をコンクリート枕木上に設置すると、コンクリート枕木内の鉄筋等の金属体の影響で、ＡＴＳ地上子の共振回路の共振鋭度を示すＱ値（Quality Factor）が低下し、さらにＡＴＳ地上子の共振周波数が変化することが知られている。Ｑ値が低下するとＡＴＳ地上子から車上子へ信号現示情報を伝達することができる空間が狭くなり、Ｑ値が一定値以下になると車上子へ信号現示情報を伝達することができなくなる。一般にＱ値は時間の経過と共に徐々に低下し、Ｑ値が一定値以下になった時点でＡＴＳ地上子は交換されるので、コンクリート枕木の影響でＱ値が低下するということはＡＴＳ地上子の耐用期間が短縮されてしまうことを意味する。また、共振周波数はＡＴＳ地上子が伝達する情報を区別するものであり、これに一定値以上の変化を生じると、車上子に正確な情報を伝達することができなくなる。
【０００５】
そこで、特許文献１では上述のような問題を解決するために、ＡＴＳ地上子の共振回路の下部に高透磁率材を敷設することによりＡＴＳ地上子の下部の金属体の影響を抑えることでＱ値の低下を防止する技術を開示している。
【特許文献１】特開平８−９１２１７号公報
【発明の開示】
【発明が解決しようとする課題】
【０００６】
コンクリート枕木上に設置されるＡＴＳ地上子の共振回路はコンクリート枕木内の鉄筋等の金属体と電磁結合しており、ＡＴＳ地上子の上を車上子が通過してＡＴＳ地上子の共振回路に車上子との共振電流が流れると、相互誘導作用によってコンクリート枕木内の鉄筋に誘導電流が流れる。このようなＡＴＳ地上子の共振回路とコンクリート枕木内の鉄筋との相互誘導作用によってＡＴＳ地上子のＱ値が低下し、さらにＡＴＳ地上子の共振周波数が変化する。
【０００７】
ところで、切欠きＰＣ枕木内部の鉄筋は、切欠き部分の強度確保のために、枕木の長手方向に沿って配置される複数の鉄筋と、これらの鉄筋を側方から囲むように配置される複数のスターラップとが互いに接触するように配筋されている。また、切欠きＰＣ枕木以外でも、プレストレスを導入しない鉄筋コンクリート枕木等には鉄筋が格子状に配筋されている。これらの枕木の配筋構造の中には鉄筋同士が接触することでループ状の電気的閉回路が多数形成されており、これらの閉回路がＡＴＳ地上子の共振回路と電磁結合することでＡＴＳ地上子のＱ値の低下および共振周波数の変化をもたらす。特に、ＡＴＳ地上子の共振回路のループコイル面に対面する方向に形成される閉回路はＡＴＳ地上子の共振回路との相互インダクタンスが大きく、閉回路を形成しない鉄筋やＡＴＳ地上子のループコイル面に垂直な方向に形成される閉回路に比べて誘導電流が流れやすいため、ＡＴＳ地上子のＱ値および共振周波数に与える影響が大きい。
【０００８】
しかしながら、コンクリート枕木上に設置されるＡＴＳ地上子のＱ値の低下および共振周波数の変化を防止するために、コンクリート枕木内部の鉄筋を減らしたり鉄筋同士を接触させない配筋構造としたりして枕木の配筋構造を変更することで配筋構造内に閉回路を形成させないようにすると、コンクリート枕木の強度を低下させるため、ＡＴＳ地上子が集中して設置されるような区間では強度的な面で支障が生じるおそれがある。また、内部に鉄筋のない合成枕木はコンクリート枕木と比較してコストが高いだけでなく、強度がコンクリート枕木よりも低いため、やはりＡＴＳ地上子が集中して設置されるような区間では強度的な面で支障が生じるおそれがある。
【０００９】
なお、特許文献１で開示されているような従来技術は、ＡＴＳ地上子を改良することでＱ値の低下を防止するものであり、枕木を改良することでＱ値の低下を防止する技術は従来にはない。しかし、上述の切欠きＰＣ枕木や鉄筋コンクリート枕木のように内部の配筋構造に閉回路を多数有することでＡＴＳ地上子の電気的性能に与える影響が大きいコンクリート枕木においては、ＡＴＳ地上子側だけの改良だけでなく枕木を改良することでＡＴＳ地上子の電気的性能を改善することが効果的であるため、ＡＴＳ地上子の電気的性能に影響を与えない枕木の開発が望まれていた。
【００１０】
本発明はこのような問題を鑑みてなされており、コンクリート枕木の配筋構造を変更しないで強度を保ちつつ、ＡＴＳ地上子の電気的特性に影響を与えないコンクリート枕木を提供することを目的としている。
【課題を解決するための手段】
【００１１】
ＡＴＳ地上子をコンクリート枕木上に設置する場合、コンクリート枕木の長手方向に沿って配置される複数の鉄筋と、この枕木の短手方向に沿って配置される複数の鉄筋とが互いに接触することで形成される環状の配筋構造によって構成される閉回路は、ＡＴＳ地上子の共振回路のループコイル面と対面する方向に形成される。そのため、ＡＴＳ地上子の共振回路との相互インダクタンスが大きく、他の鉄筋部分よりも誘導電流が流れ易い。よって、ＡＴＳ地上子の共振回路ループコイル面と対面する方向に形成される閉回路は、ＡＴＳ地上子のＱ値低下および共振周波数の変化に大きく影響する。しかしながら、枕木の強度を確保するという観点からは鉄筋同士が互いに接触していることが望ましく、鉄筋同士が接触しない配筋構造にして閉回路を形成しないようにすることは強度上好ましくない。
【００１２】
そこで請求項１に記載のように、少なくとも鉄筋同士の接触部分を絶縁材料で絶縁することによって前記鉄筋同士が電気的に接触しないようにし、前記環状の配筋構造に閉回路を形成しないように構成したことで、ＡＴＳ地上子の共振回路との相互インダクタンスを小さくし、鉄筋に流れる誘導電流を低く抑えることができる。従って、ＡＴＳ地上子のＱ値低下および共振周波数の変化を抑えることができる。よって、ＡＴＳ地上子から車上子へ信号現示情報をより確実に伝達することができ、さらに、ＡＴＳ地上子の耐用期間を延長することができる。また、鉄筋同士が電気的に接触していなくても物理的に接触しているので、ＡＴＳ地上子のＱ値低下および共振周波数の変化を抑えながらも枕木の強度を保持することができる。なお、ここで言う「物理的に接触する」とは、鉄筋同士が直接接触していなくとも、絶縁材料を介すことで鉄筋同士が直接接触している場合と同様に鉄筋同士が互いに力学的に作用してコンクリートの強度を保っている状態を指す。
【００１３】
なお、鉄筋を絶縁する手段としては、エポキシ樹脂等を絶縁材料として用い、これを鉄筋に塗布したり、合成樹脂製のスペーサ等を絶縁材料として用い、鉄筋同士が交接する部分の鉄筋にこれを装着あるいは介在させたりする方法などがある。
【００１４】
ところで、ＡＴＳ地上子設置用の枕木として用いられる切欠きＰＣ枕木にはＡＴＳ地上子のケーブルを収容するための切欠きが設けられている。そして、この切欠き部分の補強のために、切欠きＰＣ枕木にはＰＣ枕木の緊張材であるＰＣ鋼棒以外に、枕木の長手方向に沿って配置される鉄筋やスターラップ等の鉄筋が複数配置されている。そして、ＰＣ鋼棒を少なくとも含む、枕木の長手方向に沿って配置される複数の鉄筋と、これら鉄筋を側方から囲むように配置される複数のスターラップとが互いに接触することで環状の配筋構造を多く形成している。この環状の配筋構造が閉回路を形成することで枕木内部の鉄筋に誘導電流が流れ易くなり、ＡＴＳ地上子のＱ値低下および共振周波数変化に大きく影響する。中でも、ＡＴＳ地上子の共振回路のループコイル面に対面する方向に形成される閉回路による影響が特に大きい。
【００１５】
そこで請求項２に記載のように、少なくとも枕木の長手方向に配置される鉄筋とスターラップとの接触部分を絶縁材料で絶縁することによって前述の環状の配筋構造に閉回路を形成しないよう構成したことで、ＡＴＳ地上子の共振回路との相互インダクタンスを小さくし、鉄筋に流れる誘導電流を低く抑えることができる。従って、ＡＴＳ地上子のＱ値低下および共振周波数の変化を抑えることができる。また、鉄筋同士が電気的に接触していなくても物理的に接触しているので、ＡＴＳ地上子のＱ値低下および共振周波数の変化を抑えながらも枕木の強度を保持することができる。
【００１６】
なお、枕木の長手方向に配置される鉄筋とスターラップとの接触部分を絶縁材料で絶縁することによって前述の環状の配筋構造に閉回路を形成しないようにするためには、請求項３に記載のようにスターラップの少なくとも一部を絶縁材料で絶縁しても良いし、請求項４に記載のように枕木の長手方向に沿って配置される複数の鉄筋の少なくとも一部分を絶縁材料で絶縁することによって前述の環状の配筋構造に閉回路を形成しないようにしても良い。また、これらの鉄筋に絶縁材料を付けて絶縁する方法としては、エポキシ樹脂等を絶縁材料として用い、これを鉄筋に塗布したり、合成樹脂製のスペーサ等を絶縁材料として用い、鉄筋同士が交接する部分の鉄筋にこれを装着したりする方法などがある。
【発明を実施するための最良の形態】
【００１７】
以下、本発明が適用された実施例について図面を用いて説明する。なお、本発明の実施の形態は、下記の実施例に何ら限定されることなく、本発明の技術範囲に属する限り種々の形態を採りうる。
【００１８】
[切欠きＰＣ枕木１の構成]
図1は本発明の実施例の切欠きＰＣ枕木１の構成を示す斜視図である。ここでは、切欠きＰＣ枕木１の上方から見て長辺方向を長手方向、短辺方向を短手方向と定める。
【００１９】
実施例の切欠きＰＣ枕木１は図示しないＡＴＳ地上子を設置するためのＰＣ枕木であり、ＡＴＳ地上子はコンクリートの本体２の中央部上方に配置される。本体２の上面は本体２の断面が凸の字形になるように長手方向に沿って切欠かれており、この切欠き部分にＡＴＳ地上子に付属するケーブルを収容することでケーブルが保線作業の支障にならないようにしている。
【００２０】
図２に示すように、切欠きＰＣ枕木１の内部には公知のＰＣ枕木の緊張材である４本のＰＣ鋼棒２０と、ＰＣ鋼棒２０を囲むように所定の間隔で長手方向に沿って並べて配置される２種類の方形状のスターラップ１０ａ、１０ｂがそれぞれ８本と、スターラップ１０ｂの端部に内接するように長手方向に沿って配置される２本の組立筋３０と、ＰＣ鋼棒２０の両端とそれぞれ係合している４枚の支圧板４０とが配置されている。このように切欠きＰＣ枕木１では、切欠きＰＣ枕木１にプレストレスを導入するためのＰＣ鋼棒２０および支圧板４０の他に、本体２内部中央部にスターラップ１０ａ、１０ｂおよび組立筋３０を配置することで、ケーブルを収容するための切欠き部分において強度が不足しないように補強している。本実施例において、ＰＣ鋼棒２０および組立筋３０が請求項１における長手方向に沿って配置される複数の鉄筋に相当し、スターラップ１０ａ、１０ｂが請求項１における短手方向に沿って配置される複数の鉄筋に相当する。
【００２１】
なお、実施例の切欠きＰＣ枕木１においては、図４に示すようにスターラップ１０ａ、１０ｂが絶縁材料５０で全体を被覆されている。
図２に示すように、ＰＣ鋼棒２０は、切欠きＰＣ枕木１の上下方向に２段、短手方向に２列の計４本が所定の間隔で長手方向に沿って配置されている。ＰＣ鋼棒２０の一端には支圧板４０に設けられた孔の縁と係合するような膨隆部が設けられており、他端にはねじが設けてある。そして、ＰＣ鋼棒２０は上下２本を一組として支圧板４０に設けられた２つの孔にそれぞれ挿通され、ＰＣ鋼棒２０の一端に設けられた膨隆部で支圧板４０と係合し、さらに他端に設けられたねじに図示しないナットを螺合することで支圧板４０と係合している。本体２成型後に前記ナットを締付け方向に回転させてＰＣ鋼棒２０の前記膨隆部と前記ナットが支圧板４０に定着することでＰＣ鋼棒２０が緊張し、切欠きＰＣ枕木１にプレストレスを導入している。
【００２２】
スターラップ１０ａ、１０ｂは鉄筋を曲げて方形状に形成したものであり、ＰＣ鋼棒２０および組立筋３０を側方から囲むように所定の間隔で長手方向に並べて配置される。スターラップ１０ａ、１０ｂは幅・高さがそれぞれ異なり、これらを組み合わせることで本体２の断面形状に対応した凸の字形を形成し、この組み合わせたスターラップ１０ａ、１０ｂにＰＣ鋼棒２０および組立筋３０が内接している。なお、スターラップ１０ａ、１０ｂは強度確保のため鉄筋の端部同士を重ね合わせて接合されており、スターラップ１０ａ、１０ｂ自体が閉回路を形成している。しかし、スターラップ１０ａ、１０ｂを本体２内に設置する際、この閉回路はＡＴＳ地上子のループコイル面に対して垂直方向に位置し、互いに対面しないので相互干渉しにくく、ＡＴＳ地上子の電気的性能に与える影響は小さい。
【００２３】
図３（ａ）は４本のＰＣ鋼棒２０の内の上段の２本と、スターラップ１０ａの上部とが接触することで環状の配筋構造が形成されている様子を示し、図３（ｂ）は４本のＰＣ鋼棒２０の内の下段の２本および組立筋３０と、スターラップ１０ａ、１０ｂの下部とが接触することで環状の配筋構造が形成されている様子を示している。このように、スターラップ１０ａ、１０ｂとＰＣ鋼棒２０および組立筋３０とが接触することで形成される環状の配筋構造は、切欠きＰＣ枕木１上に設置されるＡＴＳ地上子のループコイル面と対面する方向に形成されている。
【００２４】
しかしながら、実施例の切欠きＰＣ枕木１では、図４に示すように、スターラップ１０ａ、１０ｂは全体を絶縁材料５０で被覆されている。従って、図３（ａ）、（ｂ）に示すようにスターラップ１０ａ、１０ｂとＰＣ鋼棒２０および組立筋３０とが接触することで環状の配筋構造が形成されていても、スターラップ１０ａ、１０ｂが絶縁材料５０によって絶縁されているので電気的な閉回路を形成しない。なお、実施例においては、絶縁材料５０としてエポキシ樹脂等を用いて、これをスターラップ１０ａ、１０ｂ全体に塗布することで鉄筋同士の接触部分を絶縁している。
【００２５】
［試験結果］
実施例の切欠きＰＣ枕木１の効果を検証するために、実施例の切欠きＰＣ枕木１および鉄筋を絶縁していない切欠きＰＣ枕木にＡＴＳ地上子を設置し、それぞれの枕木に設置されたＡＴＳ地上子のＱ値および共振周波数ｆ[Hz]を測定する試験を実施したのでその結果について説明する。
【００２６】
試験に用いられた切欠きＰＣ枕木は、実施例の切欠きＰＣ枕木１（スターラップ１０ａ、１０ｂ全体にエポキシ樹脂を塗布）である枕木Ａ、および鉄筋を絶縁していない切欠きＰＣ枕木である枕木Ｂの２種類である。枕木Ａと枕木Ｂとは、鉄筋に絶縁が施してあるか否かという相違点がある以外、大きさ、形状、配筋構造等の条件は同一である。
【００２７】
図５（ａ）に示すように、ＡＴＳ地上子を枕木Ａ、Ｂのそれぞれの中央部に、枕木の中央部の上面から１３７ｍｍの高さにＡＴＳ地上子の上面が位置するように設置して試験を行った。なお、試験では、Ｑ値の初期値としてＱ＝１５０、２００および共振周波数ｆ[Hz]の初期値としてｆ＝１０３kHz、１３０kHzの各初期条件下において、枕木Ａ、Ｂ上に設置されたＡＴＳ地上子のＱ値および共振周波数ｆ[Hz]を測定した。
【００２８】
図５（ｂ）は、試験によって測定されたＱ値および共振周波数ｆ[Hz]に基づいて算出した、枕木Ａ、Ｂ上に設置されたＡＴＳ地上子の初期条件毎におけるＱ値および共振周波数ｆ[Hz]の変化率を示す表である。なお、表中の変化率の数値について、正の数値は初期値よりも増加したことを示し、負の数値は初期値よりも低下したことを示す。図５（ｂ）の表から明らかのように、鉄筋を絶縁していない枕木Ｂと比較して、スターラップ１０ａ、１０ｂを絶縁した枕木ＡはＱ値の変化率がおよそ９〜１３％程度、共振周波数ｆ[Hz]の変化率がおよそ０．１３〜０．１５％程度改善している。この試験結果から、枕木内部の鉄筋を絶縁して環状の配筋構造に閉回路を形成しないようにすることでＡＴＳ地上子のＱ値の低下および共振周波数の変化を抑制することができることが実証された。
【００２９】
［効果］
実施例の切欠きＰＣ枕木１によれば次のような効果を奏する。
（１）スターラップ１０ａ、１０ｂを絶縁材料５０で絶縁することによって切欠きＰＣ枕木１内部の環状の配筋構造に閉回路を形成しないよう構成したことで、ＡＴＳ地上子の共振回路との相互インダクタンスを小さくし、鉄筋に流れる誘導電流を低く抑えることができる。従って、ＡＴＳ地上子のＱ値低下および共振周波数の変化を抑えることができる。Ｑ値の低下および共振周波数の変化を抑制することで、信号現示情報をより確実に伝達することができ、また、ＡＴＳ地上子の耐用期間を延長することができる。
【００３０】
（２）鉄筋同士が電気的に接触していなくても物理的に接触しているので、ＡＴＳ地上子のＱ値低下および共振周波数の変化を抑えながらも枕木の強度を保持することができる。
【００３１】
［別実施例］
枕木内の環状の配筋構造に閉回路を形成しない構成として、以下に示すような様々な別実施例が考えられる。
【００３２】
（１）図６（ａ）に示すように、スターラップ１０ａ、１０ｂの、ＰＣ鋼棒２０および組立筋３０と接触している部分の近傍だけを絶縁材料５０で絶縁することで環状の配筋構造に閉回路を形成しないよう構成しても良い。
【００３３】
（２）図６（ｂ）に示すように、ＰＣ鋼棒２０および組立筋３０の全体を絶縁材料５０で絶縁することで環状の配筋構造に閉回路を形成しないよう構成しても良い。
（３）図６（ｃ）に示すように、ＰＣ鋼棒２０および組立筋３０の、スターラップ１０ａ、１０ｂと接触する部分の近傍だけを絶縁材料５０で絶縁することで環状の配筋構造に閉回路を形成しないよう構成しても良い。
【００３４】
なお、鉄筋を絶縁する手段としては、図６（ａ）および図６（ｃ）に示すように鉄筋の一部分を絶縁する場合、絶縁材料５０として合成樹脂製のスペーサ等を用い、これを鉄筋に装着したり、図６（ｂ）に示すように鉄筋の全体を絶縁する場合、絶縁材料５０としてエポキシ樹脂等を用い、これを鉄筋全体に塗布してしたりと、種々の方法が考えられる。
【００３５】
（４）実施例ではスターラップ１０ａ、１０ｂは強度確保のため鉄筋の端部同士を重ね合わせて接合されており、スターラップ１０ａ、１０ｂ自体が閉回路を形成している。この閉回路はＡＴＳ地上子のループコイル面に対して垂直方向に位置し、互いに対面しないので相互干渉しにくく、ＡＴＳ地上子の電気的性能に与える影響は小さい。しかし、この閉回路による影響を排除するために、スターラップ１０ａ、１０ｂの端部同士接合部分を絶縁材料５０で絶縁したり、端部同士を接合しないで離したりしても良い。
【図面の簡単な説明】
【００３６】
【図１】実施例の切欠きＰＣ枕木１の斜視図である。
【図２】実施例の切欠きＰＣ枕木１の内部の配筋構造全体を示す斜視図である。
【図３】実施例の切欠きＰＣ枕木１の内部の環状の配筋構造を示す斜視図であり、（ａ）は、４本のＰＣ鋼棒２０の内の上段の２本と、スターラップ１０ａの上部とが接触することで環状の配筋構造が形成されている様子を示し、（ｂ）は４本のＰＣ鋼棒２０の内の下段の２本および組立筋３０と、スターラップ１０ａ、１０ｂの下部とが接触することで環状の配筋構造が形成されている様子を示している。
【図４】実施例の切欠きＰＣ枕木１のスターラップ１０ａ、１０ｂ全体を絶縁材料５０で絶縁した状態を示す図である。
【図５】実施例の切欠きＰＣ枕木１の効果を検証するために行われた試験について説明する図である。
【図６】本発明の別実施例を示す図である。
【符号の説明】
【００３７】
１…切欠きＰＣ枕木、２…本体、１０ａ，１０ｂ…スターラップ、２０…ＰＣ鋼棒、３０…組立筋、４０…支圧板、５０…絶縁材料
【図１】
2005344426.tif 000003
【図２】
2005344426.tif 000004
【図３】
2005344426.tif 000005
【図４】
2005344426.tif 000006
【図５】
2005344426.tif 000007
【図６】
2005344426.tif 000008